(57)【要約】      （修正有）【課題】衣服や履物類の臭いの成分を分解し、除菌作用を与えるコインロッカーを提供する。【解決手段】各庫体１２の背板に送気供給開口１５と排気送出開口１７とを設ける一方、ロッカー本体の背面に、送気供給開口１５と連通させた送気供給用経路２１と、排気送出開口１７と連通させた排気送出用経路２７とを設け、前記送気供給用経路の端末にオゾン発生装置３０を設けるとともに、送気供給用経路２１および排気送出用経路２７のうち、少なくともいずれか一方にファン装置３５−１、３５−２を設ける。【選択図】図１
0003164490.tif 000002
【実用新案登録請求の範囲】
【請求項１】
仕切板によってロッカー本体を複数の庫体に分割し、各庫体にコイン投入式のロック装置を備える開閉扉を配したコインロッカーにおいて、
各庫体の背板に送気供給開口と排気送出開口とを設ける一方、
ロッカー本体の背面に、
前記送気供給開口と連通させた送気供給用経路と、
前記排気送出開口と連通させた排気送出用経路とを設け、
前記送気供給用経路の端末にオゾン発生装置を設けるとともに、
前記送気供給用経路および排気送出用経路のうち、少なくともいずれか一方にファン装置を設けたことを特徴とするコインロッカー。
【請求項２】
ファン装置は、排気送出用経路の下流部または送気供給用経路の上流部に設けることを特徴とする請求項１記載のコインロッカー。
【請求項３】
ファン装置は、各庫体の送気供給開口に設けることを特徴とする請求項１記載のコインロッカー。
【考案の詳細な説明】
【技術分野】
【０００１】
本考案は、コインを投入して利用するコインロッカーに係り、とくに体育館やプール施設等における衣服・履物の除菌・脱臭を図るものに関する。
【背景技術】
【０００２】
コインロッカーは、各庫体にコイン投入式のロック装置を備える開閉扉を配したロッカー（硬貨による自動課金システムが搭載されたロッカー）である。有料のものと無料のもの（解錠時にコインが返却される保証金式コインロッカー）がある。
【０００３】
コインロッカーは、不特定多数の利用者が使用するものであり、鉄道駅、各種の娯楽施設等に設置される。
【先行技術文献】
【特許文献】
【０００４】
【特許文献１】特開２００５−１６５３８０
【考案の開示】
【考案が解決しようとする課題】
【０００５】
問題は、コインロッカーの各庫体が必ずしも清浄とはいえない使用条件にさらされる場合があることである。とくに、体育館、プール、ボーリング場、サウナ、スーパー銭湯、スポーツジムなどに設置するコインロッカーにおける、衣服や履物類の汚れと臭いである。
【０００６】
従来、このような施設のコインロッカーでは、衣服や履物類の汗臭さや汚れ（ばい菌）は、利用する上でやむを得ないこととして、少なからず利用者にも許容されていた傾向があった。しかしながら、近時は、臭いやばい菌に対する拒否反応を示す利用者も少なくなく、清潔感のない従来通りのコインロッカーでは利用者からの苦情も増え、施設運営上も好ましくないという意識が広がっている。
【０００７】
そこで、本考案の目的は、コインロッカーの清潔感を担保できるようにすることにある。
【課題を解決するための手段】
【０００８】
前記目的を達成するため、本考案に係るコインロッカーは、各庫体の背板に送気供給開口と排気送出開口とを設ける一方、ロッカー本体の背面に、前記送気供給開口と連通させた送気供給用経路と、前記排気送出開口と連通させた排気送出用経路とを設け、前記送気供給用経路の端末（最上流）にオゾン発生装置を設けるとともに、前記送気供給用経路および排気送出用経路のうち、少なくともいずれか一方にファン装置を設ける。
【０００９】
送気供給用経路および排気送出用経路を介して各庫体を空間的に連通させ、送気供給用経路の端末（最上流）に設けたオゾン発生装置から各庫体にオゾンを供給することにより、各庫体内の衣服や履物類の臭いの成分を分解し、ばい菌に対して除菌作用を与えることが出来る。
【００１０】
各庫体を空間的に連通させてあるので、空気の流れを作り出すファンは、送気供給用経路および排気送出用経路のうち、少なくともいずれか一方に設ければよい。
【００１１】
ファン装置は、排気送出用経路の下流部または送気供給用経路の上流部に設ける場合がある（請求項２）。ファン装置は一個あれば、空気の流れを作り出せるからである。上流、下流は、オゾンの流れる方向を基準とする。オゾン発生装置を設ける場所が最上流であり、オゾンを外気に排出する場所が下流になる。オゾンは分解して外気に排出することが望ましい。
【００１２】
また、ファン装置は、各庫体の送気供給開口に設ける場合がある（請求項３）。かかる構成によってもオゾンを各庫体に送り込むことが可能である。
【考案の効果】
【００１３】
本考案に係るコインロッカーによれば、各庫体にオゾンを送り込み、各庫体内を浄化した後、内部空気を排気するので、コインロッカーの清潔感を担保することが出来る。
【図面の簡単な説明】
【００１４】
【図１】実施形態に係るコインロッカーのオゾンの流れを例示するブロック図である。
【図２】実施形態に係るコインロッカーの背板に設けた開口を例示する図である。
【図３】実施形態に係るコインロッカーの背面のダクトを例示する斜視図である。
【考案を実施するための形態】
【００１５】
図２に示すように、本考案に係るコインロッカーは、ロッカー本体１０を仕切板１１によっての複数の庫体１２に分割し、各庫体１２の背板１４に、送気供給開口１５と排気送出開口１７とを設けておく。コインロッカーであるから各庫体１２の前面開口部分にはコイン投入式の開閉扉（図示せず）を設ける。なお、本考案において使用する開閉扉のコイン投入式のロック装置は、開錠時にコインを回収するものでも良いし、コインを返却する方式のものでも良い。また開閉扉には、透明の樹脂板やガラス板などを用いた窓を設け、収納状態を外部から視認できるようにしておくことが望ましい。
【００１６】
背板１４に設ける送気供給開口１５は、各庫体１２に対してオゾンを送り込むための開口であり、排気送出開口１７は、各庫体１２においてオゾンが作用した後の庫内空気を排気するための開口である。各庫体１２へのオゾン供給量を十分に担保するため、排気送出開口１７に較べて送気供給開口１５の面積をやや大きく設定しておくことが望ましい。
【００１７】
図３は、ロッカー本体１０の背面に設けた送気供給用経路２１と排気送出用経路２７とを例示するものである。送気供給用経路２１は、送気供給開口１５と連通させ、排気送出用経路２７は、排気送出開口１７と連通させる。
【００１８】
送気供給用経路２１は、例えば、ロッカー本体１０の背面略中央に設けた縦ダクト２１−１と、この縦ダクト２１−１に連通させた横ダクト２１−２とによって構成し、縦ダクト２１−１の上部にオゾン発生装置３０を設ける。オゾンは、オゾン発生装置３０から供給されるので、この実施形態では、縦ダクト２１−１の上部がオゾン流動の最上流部となる。なお、この実施形態のように、ロッカー本体１０の天板上にオゾン発生装置３０を配する場合は、見栄えを良好にするために、適宜の化粧板（遮蔽板）３８を設けることが望ましい。
【００１９】
この実施形態では、送気供給用経路２１を構成する横ダクト２１−２を介して各庫体１２の背板１４に設けた送気供給開口１５から各庫体１２の内部へオゾンを供給する。
【００２０】
排気送出用経路２７は、例えば、ロッカー本体１０の背面の左右にそれぞれ設けた二本の縦ダクト２７−１、２７−２によって構成し、各縦ダクト２７−１、２７−２の最上部に設けた開口（図示せず）に、排気用のファン装置（例えばシロッコファン）３５−１、３５−２を設ける。オゾンの流れでいえば、縦ダクト２７−１、２７−２の最上部にあるファン装置３５−１、３５−２が最下流の位置となる。
【００２１】
オゾンは、空気に紫外線を照射したり酸素中で放電を行った場合に生成できるもので（３Ｏ２→２Ｏ３）、各種のオゾン発生装置３０が市販されている。オゾンはフッ素に次ぐ強力な酸化作用があり、殺菌、ウイルスの不活化、脱臭などの作用をもつ。オゾンによる除菌は、オゾンが、菌の細胞膜を破壊し、細胞膜が破壊されたことで細胞の核が溶けて死滅するというメカニズムによる。耐性菌が発生する虞れはない。オゾンによる脱臭は、悪臭の原因粒子を酸化反応によって分解するものであり、悪臭の原因粒子を包んで臭いを消す芳香剤とは根本的に異なる高い脱臭効果がみられる。
【００２２】
オゾンは優れた特性をもつ一方、高濃度のオゾンは人体に有害であるとされる。わが国の場合、０．１ｐｐｍ以上が人体への影響（咳や涙が出る等）が出る数値として、日本産業衛生協議会が勧告する作業環境基準濃度として定められている。かかる事情に鑑みれば、ファン装置３５−１、３５−２から放出する排気は、可能な限り残存オゾン量を低減させることが望ましい。そこで、好ましくは、ファン装置３５−１、３５−２の吸気側または排気側のいずれかに、オゾン分解触媒を用いたオゾン分解フィルター（図示せず）を設ける。
【００２３】
除菌に有効なオゾン濃度は、有人条件下で０．０２ｐｐｍ〜０．０３ｐｐｍであり、脱臭に有効なオゾン濃度は、有人条件下で０．０２ｐｐｍ〜０．０３ｐｐｍであるとされるので、いずれの場合も、人体に悪影響を及ぼすレベルで使用する必要はないが、より高度の安全性を考慮すれば、分解フィルターを用いて排気を行うことが望ましい。オゾン分解フィルターとしては、例えば、多孔質状セラミックス担体に硝酸ニッケルを主成分とする水溶液を含浸せしめた後、４００〜６００℃の温度範囲で熱処理し、ニッケル酸化物を主成分とする化合物を多孔質状セラミックス担体の骨格表面に固着することで得たオゾン分解フィルターが知られている（特開２００６−１５０２９０号 ）。これ以外にも市販品が各種あるので、効能、価格等を考慮して選択利用することが出来る。
【００２４】
従って、かかるコインロッカーによれば、オゾン発生装置３０において発生させたオゾンを、送気供給用経路２１（縦ダクト２１−１、横ダクト２１−２）および送気供給開口１５を介して各庫体１２に供給し、各庫体１２内においてオゾンによる除菌・脱臭作用を営ませた後、各庫体１２の内部空気を排気送出用経路２７（縦ダクト２７−１、２７−２）、ファン装置３５−１、３５−２、およびオゾン分解フィルターを介して外気に排出することが出来る（図３参照）。各庫体１２の内部空気は、常時供給されるオゾンによって常に清浄に保たれる。ファン装置３５−１、３５−２の作動によって、オゾン発生装置３０→送気供給用経路２１→各庫体１２→排気送出用経路２７→ファン装置３５−１、３５−２という空気の流動経路を一方向に整流することが出来る。ファン装置３５−１、３５−２にはオゾン分解フィルタを設けてあるので、コインロッカーの利用者にオゾンの悪影響を与えることもない。
【００２５】
本考案に係るコインロッカーは、体育館、プール、スーパー銭湯、サウナなど、衣服や履物類を預け入れるロッカー設備に適用することが好ましい。ショッピングセンターや百貨店などに設置する生鮮品用の冷却ロッカーに用いることも出来る。コインロッカーであるから、扉の施錠の際には硬貨の投入を要するが、開錠時に硬貨を戻す硬貨返却式のロック装置を用いれば、利用者に経済的負担をかけることもない。
【００２６】
本考案に係るコインロッカーは、前記実施形態のものに限定されない。例えば、前記実施形態では、送気供給用経路２１を、ロッカー本体１０の背面略中央に設けた縦ダクト２１−１と、この縦ダクト２１−１に連通させた横ダクト２１−２とによって構成し、縦ダクト２１−１の上部にオゾン発生装置３０を設ける旨説明したが、送気供給用経路２１の構成は自由に設計できる。送気供給開口１５と連通する二本の縦ダクトを配することによって横ダクトを排することも出来るし、オゾン発生装置３０を縦ダクトの下に配しても良い。
【００２７】
同様に、前記実施形態では、排気送出用経路２７を二本の縦ダクト２７−１、２７−２によって構成する旨説明したが、縦ダクトと横ダクトとによって構成しても良い。この場合は、排気を縦ダクトに集約できるので、縦ダクトの上（または下）に一個のファン装置を設ければよい。その場合もファン装置にはオゾン分解フィルターを配することが望ましい。
【００２８】
前記実施形態では、送気供給用経路２１および排気送出用経路２７を角形のダクトとして図示（図３）したが、ダクトの形状は限定されない。円筒形のダクトを用いても良い。また、各庫体の背板に設ける送気用開口や排気用開口も、設置位置はとくに限定されない。形状も適宜設計できる。
【００２９】
ファン装置は、排気送出用経路の下流部または送気供給用経路の上流部に設ける。排気送出用経路の下流部に設ける場合は排気整流（空気をロッカー外部へ放出する）を行い、送気供給用経路の上流部に設ける場合は送気整流（空気をロッカー内部へ送り込む）を行うようにする。いずれであってもオゾンの流れを作り出して庫内を清浄に保つことが出来る。
【００３０】
ファン装置は、各庫体の送気供給開口に個別に設けてもよい。この場合は、各庫体の扉の密封性能が良好なときには排気用のファン装置を設けなくても、オゾンを含む空気の流れを一方向に整流し、排気送出用経路を介してロッカー内部の空気を外部に放出することが出来る。排気用のファン装置を設けない場合は、排気送出用経路の下流の開口部にオゾン分解フィルターを設ける。
【符号の説明】
【００３１】
１０  ロッカー本体
１１  仕切板
１２  庫体
１４  背板
１５  送気供給開口
１７  排気送出開口
２１  送気供給用経路
２１−１  縦ダクト
２１−２  横ダクト
２７  排気送出用経路
２７−１、２７−２  縦ダクト
３０  オゾン発生装置
３５−１、３５−２  ファン装置
３８  化粧板（遮蔽板）
【図１】
0003164490.tif 000003
【図２】
0003164490.tif 000004
【図３】
0003164490.tif 000005